【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置であって、
第１当接部と第２当接部とが設けられた、画像形成装置本体に着脱可能なカートリッジと、
第１被当接部と第２被当接部とを有し、突出位置と退避位置との間を前記カートリッジの挿入方向と交差する可動方向において移動可能な可動部材と、
を有し、前記カートリッジを前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とする画像形成装置。
【請求項２】
前記カートリッジを前記画像形成装置本体に挿入する際、前記第２当接部は、前記第１当接部が前記第２被当接部に当接し前記可動部材を前記突出位置から前記第１退避位置よりも退避した第２退避位置まで退避させたときのみ前記第２被当接部に当接可能であり、前記第２当接部は、前記第２被当接部に当接可能であるときのみ前記第２被当接部を通過可能であることを特徴とする請求項１に記載の画像形成装置。
【請求項３】
前記第１当接部と前記第２当接部は、前記カートリッジを前記画像形成装置本体に挿入する際の挿入方向の下流側、且つ、前記退避位置の側に傾いた平面を有することを特徴とする請求項１または２に記載の画像形成装置。
【請求項４】
前記第１被当接部と前記第２被当接部は、前記カートリッジを前記画像形成装置本体に挿入する際の挿入方向の上流側、且つ、前記突出位置の側に傾いた平面を有することを特徴とする請求項１乃至３の何れか一項に記載の画像形成装置。
【請求項５】
前記第１被当接部は、前記第２被当接部よりも前記カートリッジを前記画像形成装置本体に挿入する際の挿入方向の上流側に配置されていることを特徴とする請求項１乃至４の何れか一項に記載の画像形成装置。
【請求項６】
前記可動部材は、付勢手段によって前記突出位置に付勢されていることを特徴とする請求項１乃至５の何れか一項に記載の画像形成装置。
【請求項７】
前記可動部材は、前記カートリッジを前記画像形成装置本体に挿入する際に前記カートリッジを案内するガイド部材によって保持されており、前記カートリッジには、前記カートリッジを前記画像形成装置本体に挿入する際に前記ガイド部材によって案内される着脱ボスが設けられていることを特徴とする請求項１乃至６の何れか一項に記載の画像形成装置。
【請求項８】
第１被当接部と第２被当接部とを有し、突出位置と退避位置との間をカートリッジの挿入方向と交差する可動方向において移動可能な可動部材を有し、記録媒体に画像を形成する画像形成装置の画像形成装置本体に着脱可能なカートリッジであって、
第１当接部と第２当接部とが設けられており、前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とするカートリッジ。
【請求項９】
前記画像形成装置本体に挿入する際、前記第２当接部は、前記第１当接部が前記第２被当接部に当接し前記可動部材を前記突出位置から前記第１退避位置よりも退避した第２退避位置まで退避させたときのみ前記第２被当接部に当接可能であり、前記第２当接部は、前記第２被当接部に当接可能であるときのみ前記第２被当接部を通過可能であることを特徴とする請求項８に記載のカートリッジ。
【請求項１０】
前記第１当接部と前記第２当接部は、前記カートリッジを前記画像形成装置本体に挿入する際の挿入方向の下流側、且つ、前記可動方向の前記退避位置の側に傾いた平面を有することを特徴とする請求項８または９に記載のカートリッジ。
【請求項１１】
第１当接部と第２当接部とが設けられたカートリッジが着脱可能で、記録媒体に画像を形成する画像形成装置の画像形成装置本体であって、
第１被当接部と第２被当接部とを有し、突出位置と退避位置との間を前記カートリッジの挿入方向と交差する可動方向において移動可能な可動部材を有し、前記カートリッジを前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とする画像形成装置本体。
【請求項１２】
前記カートリッジを挿入する際、前記第２当接部は、前記第１当接部が前記第２被当接部に当接し前記可動部材を前記突出位置から前記第１退避位置よりも退避した第２退避位置まで退避させたときのみ前記第２被当接部に当接可能であり、前記第２当接部は、前記第２被当接部に当接可能であるときのみ前記第２被当接部を通過可能であることを特徴とする請求項１１に記載の画像形成装置本体。
【請求項１３】
前記第１被当接部と前記第２被当接部は、前記カートリッジを前記画像形成装置本体に挿入する際の挿入方向の上流側、且つ、前記可動方向の前記突出位置の側に傾いた平面を有することを特徴とする請求項１１または１２に記載の画像形成装置本体。
【請求項１４】
前記第１被当接部は、前記第２被当接部よりも前記カートリッジを前記画像形成装置本体に挿入する際の挿入方向の上流側に配置されていることを特徴とする請求項１１乃至１３の何れか一項に記載の画像形成装置本体。
【請求項１５】
前記可動部材は、付勢手段によって前記突出位置に付勢されていることを特徴とする請求項１１乃至１４の何れか一項に記載の画像形成装置本体。
【請求項１６】
前記可動部材は、前記カートリッジを挿入する際に前記カートリッジを案内するガイド部材によって保持されており、前記カートリッジには、前記カートリッジを挿入する際に前記ガイド部材によって案内される着脱ボスが設けられていることを特徴とする請求項１１乃至１５の何れか一項に記載の画像形成装置本体。
【請求項１７】
記録媒体に画像を形成する画像形成装置の画像形成装置本体に着脱可能なカートリッジの誤挿入防止システムであって、
前記画像形成装置本体は、第１被当接部と第２被当接部とを有し、突出位置と退避位置との間を前記カートリッジの挿入方向と交差する可動方向において移動可能な可動部材を有し、
前記カートリッジには、第１当接部と第２当接部とが設けられており、
前記カートリッジを前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とする誤挿入防止システム。
【請求項１８】
記録媒体に画像を形成する画像形成装置であって、
第１被当接部と第２被当接部が設けられ、突出位置と退避位置との間をカートリッジの挿入方向と交差する可動方向において移動可能な可動部材を有する、画像形成装置本体に着脱可能なカートリッジと、
第１当接部と第２当接部と、
を有し、前記カートリッジを前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とする画像形成装置。
【請求項１９】
前記カートリッジを前記画像形成装置本体に挿入する際、前記第２当接部は、前記第１当接部が前記第２被当接部に当接し前記可動部材を前記突出位置から前記第１退避位置よりも退避した第２退避位置まで退避させたときのみ前記第２被当接部に当接可能であり、前記第２当接部は、前記第２被当接部に当接可能であるときのみ前記第２被当接部を通過可能であることを特徴とする請求項１８に記載の画像形成装置。
【請求項２０】
前記第１当接部と前記第２当接部は、前記カートリッジを前記画像形成装置本体に挿入する際の挿入方向の下流側、且つ、前記可動方向の前記退避位置の側に傾いた平面を有することを特徴とする請求項１８または１９に記載の画像形成装置。
【請求項２１】
前記第１被当接部と前記第２被当接部は、前記カートリッジを前記画像形成装置本体に挿入する際の挿入方向の上流側、且つ、前記可動方向の前記突出位置の側に傾いた平面を有することを特徴とする請求項１８乃至２０の何れか一項に記載の画像形成装置。
【請求項２２】
前記第１被当接部は前記第２被当接部よりも前記カートリッジを前記画像形成装置本体に挿入する際の挿入方向の上流側に配置されていることを特徴とする請求項１８乃至２１の何れか一項に記載の画像形成装置。
【請求項２３】
前記可動部材は、付勢手段によって前記突出位置に付勢されていることを特徴とする請求項１８乃至２２の何れか一項に記載の画像形成装置。
【請求項２４】
第１当接部と第２当接部を有し、記録媒体に画像を形成する画像形成装置の画像形成装置本体に着脱可能なカートリッジであって、
第１被当接部と第２被当接部が設けられた、突出位置と退避位置との間を前記カートリッジの挿入方向と交差する可動方向において移動可能な可動部材を有し、前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とするカートリッジ。
【請求項２５】
前記カートリッジを前記画像形成装置本体に挿入する際、前記第２当接部は、前記第１当接部が前記第２被当接部に当接し前記可動部材を前記突出位置から前記第１退避位置よりも退避した第２退避位置まで退避させたときのみ前記第２被当接部に当接可能であり、前記第２当接部は、前記第２被当接部に当接可能であるときのみ前記第２被当接部を通過可能であることを特徴とする請求項２４に記載のカートリッジ。
【請求項２６】
前記第１被当接部と前記第２被当接部は、前記カートリッジを前記画像形成装置本体に挿入する際の挿入方向の上流側、且つ、前記可動方向の前記突出位置の側に傾いた平面を有することを特徴とする請求項２４または２５に記載のカートリッジ。
【請求項２７】
前記第１被当接部は前記第２被当接部よりも前記カートリッジを前記画像形成装置本体に挿入する際の挿入方向の上流側に配置されていることを特徴とする請求項２４乃至２６の何れか一項に記載のカートリッジ。
【請求項２８】
前記可動部材は、付勢手段によって前記突出位置に付勢されていることを特徴とする請求項２４乃至２７の何れか一項に記載のプロセスカートリッジ。
【請求項２９】
第１被当接部と第２被当接部が設けられ、突出位置と退避位置との間をカートリッジの挿入方向と交差する可動方向において移動可能な可動部材を有するカートリッジが着脱可能で、記録媒体に画像を形成する画像形成装置の画像形成装置本体であって、
第１当接部と第２当接部を有し、前記カートリッジを前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とする画像形成装置本体。
【請求項３０】
前記カートリッジを前記画像形成装置本体に挿入する際、前記第２当接部は、前記第１当接部が前記第２被当接部に当接し前記可動部材を前記突出位置から前記第１退避位置よりも退避した第２退避位置まで退避させたときのみ前記第２被当接部に当接可能であり、前記第２当接部は、前記第２被当接部に当接可能であるときのみ前記第２被当接部を通過可能であることを特徴とする請求項２９に記載の画像形成装置本体。
【請求項３１】
前記第１当接部と前記第２当接部は、前記カートリッジを挿入する際の挿入方向の下流側、且つ、前記可動方向の前記退避位置の側に傾いた平面を有することを特徴とする請求項２９または３０に記載の画像形成装置本体。
【請求項３２】
記録媒体に画像を形成する画像形成装置の画像形成装置本体に着脱可能なカートリッジの誤挿入防止システムであって、
前記画像形成装置本体は、第１当接部と第２当接部とを有し、
前記カートリッジには、第１被当接部と第２被当接部が設けられ、突出位置と退避位置との間を前記カートリッジの挿入方向と交差する可動方向において移動可能な可動部材を有し、
前記カートリッジを前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とするカートリッジの誤挿入防止システム。
【請求項３３】
前記カートリッジの画像形成装置本体に対する挿入および取り出しをガイドするガイド部材をさらに有することを特徴とする請求項１乃至７の何れか一項に記載の画像形成装置。
【請求項３４】
前記カートリッジの画像形成装置本体に対する挿入および取り出しをガイドするガイド部材をさらに有することを特徴とする請求項１１乃至１６の何れか一項に記載の画像形成装置本体。
【請求項３５】
前記カートリッジの画像形成装置本体に対する挿入および取り出しをガイドするガイド部材をさらに有することを特徴とする請求項１８乃至２３の何れか一項に記載の画像形成装置。
【請求項３６】
前記カートリッジの画像形成装置本体に対する挿入および取り出しをガイドするガイド部材をさらに有することを特徴とする請求項２９乃至３１の何れか一項に記載の画像形成装置本体。
【請求項３７】
前記画像形成装置本体は、前記カートリッジの画像形成装置本体に対する挿入および取り出しをガイドするガイド部材をさらに有することを特徴とすることを特徴とする請求項３２に記載のカートリッジの誤挿入防止システム。
【手続補正２】
【補正対象書類名】明細書
【補正対象項目名】００２２
【補正方法】変更
【補正の内容】
【００２２】
上記目的を達成するための本発明に係る画像形成装置の代表的な構成は、記録媒体に画像を形成する画像形成装置であって、第１当接部と第２当接部とが設けられた、画像形成装置本体に着脱可能なカートリッジと、第１被当接部と第２被当接部とを有し、突出位置と退避位置との間を前記カートリッジの挿入方向と交差する可動方向において移動可能な可動部材と、を有し、前記カートリッジを前記画像形成装置本体に挿入する際、前記第１当接部は、前記第２当接部が前記第１被当接部に当接し前記可動部材を前記突出位置から第１退避位置まで移動させることで前記第２被当接部に当接可能となり、前記第１当接部は、前記第２被当接部に当接可能であるときのみ前記第２被当接部を通過可能であり、前記第１当接部と前記第２当接部は、前記可動部材に対し前記可動方向の前記突出位置の側を通過することを特徴とする。
【手続補正３】
【補正対象書類名】明細書
【補正対象項目名】０１３８
【補正方法】変更
【補正の内容】
【０１３８】
１）記録媒体（Ｐ）に画像を形成する画像形成装置１００である。第１当接部７３ａと第２当接部７３ｂとが設けられた、画像形成装置本体Ａに着脱可能なカートリッジＢを有する。また、第１被当接部１５ｃと第２被当接部１５ｄとを有し、突出位置Ｙと退避位置Ｚとの間をカートリッジＢの挿入方向Ｇ１と交差する可動方向において移動可能な可動部材１５を有する。
【手続補正４】
【補正対象書類名】明細書
【補正対象項目名】０１４０
【補正方法】変更
【補正の内容】
【０１４０】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記突出位置Ｙの側を通過する。
【手続補正５】
【補正対象書類名】明細書
【補正対象項目名】０１４２
【補正方法】変更
【補正の内容】
【０１４２】
３）前記第１当接部７３ａと前記第２当接部７３ｂは、前記カートリッジＢを前記画像形成装置本体Ａに挿入する際の挿入方向Ｇ１の下流側、且つ、前記退避位置Ｚの側に傾いた平面７３ａ１、７３ｂ１を有する。
【手続補正６】
【補正対象書類名】明細書
【補正対象項目名】０１４３
【補正方法】変更
【補正の内容】
【０１４３】
４）前記第１被当接部１５ｃと前記第２被当接部１５ｄは、前記カートリッジＢを前記画像形成装置本体Ａに挿入する際の挿入方向Ｇ1の上流側、且つ、前記突出位置Ｙの側に傾いた平面１５ｃ１、１５ｄ１を有する。
【手続補正７】
【補正対象書類名】明細書
【補正対象項目名】０１４８
【補正方法】変更
【補正の内容】
【０１４８】
１）第１被当接部１５ｃと第２被当接部１５ｄとを有し、突出位置Ｙと退避位置Ｚとの間をカートリッジＢの挿入方向Ｇ１と交差する可動方向において移動可能な可動部材１５を有し、記録媒体Ｐに画像を形成する画像形成装置１００の画像形成装置本体Ａに着脱可能なカートリッジＢである。
【手続補正８】
【補正対象書類名】明細書
【補正対象項目名】０１５０
【補正方法】変更
【補正の内容】
【０１５０】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記突出位置Ｙの側を通過する。
【手続補正９】
【補正対象書類名】明細書
【補正対象項目名】０１５２
【補正方法】変更
【補正の内容】
【０１５２】
３）前記第１当接部７３ａと前記第２当接部７３ｂは、前記カートリッジＢを前記画像形成装置本体Ａに挿入する際の挿入方向Ｇ１の下流側、且つ、前記可動方向の前記退避位置Ｚの側に傾いた平面７３ａ１、７３ｂ１を有する。
【手続補正１０】
【補正対象書類名】明細書
【補正対象項目名】０１５４
【補正方法】変更
【補正の内容】
【０１５４】
１）第１当接部７３ａと第２当接部７３ｂとが設けられたカートリッジＢが着脱可能で、記録媒体Ｐに画像を形成する画像形成装置１００の画像形成装置本体（Ａ）である。第１被当接部１５ｃと第２被当接部１５ｄとを有し、突出位置Ｙと退避位置Ｚとの間をカートリッジＢの挿入方向Ｇ１と交差する可動方向において移動可能な可動部材１５を有する。
【手続補正１１】
【補正対象書類名】明細書
【補正対象項目名】０１５６
【補正方法】変更
【補正の内容】
【０１５６】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記突出位置Ｙの側を通過する。
【手続補正１２】
【補正対象書類名】明細書
【補正対象項目名】０１５８
【補正方法】変更
【補正の内容】
【０１５８】
３）前記第１被当接部１５ｃと前記第２被当接部１５ｄは、前記カートリッジＢを前記画像形成装置本体Ａに挿入する際の挿入方向Ｇ1の上流側、且つ、前記可動方向の前記突出位置Ｙの側に傾いた平面１５ｃ１、１５ｄ１を有する。
【手続補正１３】
【補正対象書類名】明細書
【補正対象項目名】０１６３
【補正方法】変更
【補正の内容】
【０１６３】
記録媒体Ｐに画像を形成する画像形成装置１００の画像形成装置本体Ａに着脱可能なカートリッジＢの誤挿入防止システムである。前記画像形成装置本体Ａは、第１被当接部１５ｃと第２被当接部１５ｄとを有し、突出位置Ｙと退避位置Ｚとの間をカートリッジＢの挿入方向Ｇ１と交差する可動方向において移動可能な可動部材１５を有する。前記カートリッジＢには、第１当接部７３ａと第２当接部７３ｂとが設けられている。
【手続補正１４】
【補正対象書類名】明細書
【補正対象項目名】０１６５
【補正方法】変更
【補正の内容】
【０１６５】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記前記突出位置Ｙの側を通過する。
【手続補正１５】
【補正対象書類名】明細書
【補正対象項目名】０１７０
【補正方法】変更
【補正の内容】
【０１７０】
１）記録媒体Ｐに画像を形成する画像形成装置１００である。第１被当接部１５ｃと第２被当接部１５ｄが設けられ、突出位置Ｙと退避位置Ｚとの間をカートリッジＢの挿入方向Ｇ１と交差する可動方向において移動可能な可動部材１５を有する、画像形成装置本体Ａに着脱可能なカートリッジＢを有する。第１当接部７３ａと第２当接部７３ｂを有する。
【手続補正１６】
【補正対象書類名】明細書
【補正対象項目名】０１７２
【補正方法】変更
【補正の内容】
【０１７２】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記突出位置Ｙの側を通過する。
【手続補正１７】
【補正対象書類名】明細書
【補正対象項目名】０１７４
【補正方法】変更
【補正の内容】
【０１７４】
３）前記第１当接部７３ａと前記第２当接部７３ｂは、前記カートリッジＢを前記画像形成装置本体Ａに挿入する際の挿入方向Ｇ１の下流側、且つ、前記可動方向の前記退避位置Ｚの側に傾いた平面７３ａ１、７３ｂ１を有する。
【手続補正１８】
【補正対象書類名】明細書
【補正対象項目名】０１７５
【補正方法】変更
【補正の内容】
【０１７５】
４）前記第１被当接部１５ｃと前記第２被当接部１５ｄは、前記カートリッジＢを前記画像形成装置本体Ａに挿入する際の挿入方向Ｇ１の上流側、且つ、前記可動方向の前記突出位置Ｙの側に傾いた平面１５ｃ１、１５ｄ１を有する。
【手続補正１９】
【補正対象書類名】明細書
【補正対象項目名】０１７９
【補正方法】変更
【補正の内容】
【０１７９】
１）第１当接部７３ａと第２当接部７３ｂを有し、記録媒体Ｐに画像を形成する画像形成装置１００の画像形成装置本体Ａに着脱可能なカートリッジＢである。第１被当接部１５ｃと第２被当接部１５ｄが設けられた、突出位置Ｙと退避位置Ｚとの間をカートリッジＢの挿入方向Ｇ１と交差する可動方向において移動可能な可動部材１５を有する。
【手続補正２０】
【補正対象書類名】明細書
【補正対象項目名】０１８１
【補正方法】変更
【補正の内容】
【０１８１】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記突出位置Ｙの側を通過する。
【手続補正２１】
【補正対象書類名】明細書
【補正対象項目名】０１８３
【補正方法】変更
【補正の内容】
【０１８３】
３）前記第１被当接部１５ｃと前記第２被当接部１５ｄは、前記カートリッジＢを前記画像形成装置本体Ａに挿入する際の挿入方向Ｇ１の上流側、且つ、前記可動方向の前記突出位置Ｙの側に傾いた平面１５ｃ１、１５ｄ１を有する。
【手続補正２２】
【補正対象書類名】明細書
【補正対象項目名】０１８７
【補正方法】変更
【補正の内容】
【０１８７】
１）第１被当接部１５ｃと第２被当接部１５ｄが設けられ、突出位置Ｙと退避位置Ｚとの間をカートリッジＢの挿入方向Ｇ１と交差する可動方向において移動可能な可動部材１５を有するカートリッジＢが着脱可能で、記録媒体Ｐに画像を形成する画像形成装置１００の画像形成装置本体Ａである。第１当接部７３ａと第２当接部７３ｂを有する。
【手続補正２３】
【補正対象書類名】明細書
【補正対象項目名】０１８９
【補正方法】変更
【補正の内容】
【０１８９】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記突出位置Ｙの側を通過する。
【手続補正２４】
【補正対象書類名】明細書
【補正対象項目名】０１９１
【補正方法】変更
【補正の内容】
【０１９１】
３）前記第１当接部７３ａと前記第２当接部７３ｂは、前記カートリッジＢを挿入する際の挿入方向Ｇ１の下流側、且つ、前記可動方向の前記退避位置Ｚの側に傾いた平面７３ａ１、７３ｂ１を有する。
【手続補正２５】
【補正対象書類名】明細書
【補正対象項目名】０１９３
【補正方法】変更
【補正の内容】
【０１９３】
記録媒体Ｐに画像を形成する画像形成装置１００の画像形成装置本体Ａに着脱可能なカートリッジＢの誤挿入防止システムである。前記画像形成装置本体Ａは、第１当接部７３ａと第２当接部７３ｂとを有する。前記カートリッジＢには、第１被当接部１５ｃと第２被当接部１５ｄが設けられ、突出位置Ｙと退避位置Ｚとの間をカートリッジＢの挿入方向Ｇ１と交差する可動方向において移動可能な可動部材１５を有する。
【手続補正２６】
【補正対象書類名】明細書
【補正対象項目名】０１９５
【補正方法】変更
【補正の内容】
【０１９５】
前記第１当接部７３ａは、前記第２被当接部１５ｄに当接可能であるときのみ前記第２被当接部１５ｄを通過可能である。前記第１当接部７３ａと前記第２当接部７３ｂは、前記可動部材１５に対し前記可動方向Ｅ、Ｆの前記突出位置Ｙの側を通過する。